(57)【要約】【課題】  様々な自転車のサイズに対応させる為のアームの長さ調整を必要とせず、一般ユーザーが容易に調整できる、シンプルで丈夫な自転車用スタンド接続装置を得る。【解決手段】  取り外しや積み重ねが可能で、取り付けボルトが貫通する穴をもつ調整部材を使用する。【選択図】図３
2007069891.tif 000002
【特許請求の範囲】
【請求項１】
自転車を駐輪する際のスタンドを前記自転車に取り付ける為の接続装置であって、前記自転車に強固に取り付け可能なブラケット体に接続される貫通ボルトと、前記貫通ボルトを貫通させる貫通穴をもった、取り外しや積み重ねが可能な中間体と、前記ブラケット体との間に挿入する前記中間体の長さや個数を調整しながら前記貫通ボルトによって前記スタンドを連結する、自転車用スタンド接続装置。
【請求項２】
前記ブラケット体と前記中間体の間、積み重ねられた前記中間体どうしの間、前記中間体と前記スタンドの間、前記ブラケット体と前記スタンドの間の、少なくとも１ヶ所にズレや回転防止の為の位置決め部材を有する、請求項１に記載の自転車用スタンド接続装置。
【請求項３】
前記ブラケット体と前記中間体の間、積み重ねられた前記中間体どうしの間、前記中間体と前記スタンドの間、前記ブラケット体と前記スタンドの間の、少なくとも１ヶ所にズレや回転防止の為の勘合形状を有する、請求項１から請求項２のいずれかに記載の自転車用スタンド接続装置。
【請求項４】
前記ブラケット体と前記中間体の間、積み重ねられた前記中間体どうしの間、前記中間体と前記スタンドの間、前記ブラケット体と前記スタンドの間の、少なくとも１ヶ所に３次元的に前記スタンドの角度を調整する為のオワン形の凹凸勘合形状を有する、請求項１から請求項３のいずれかに記載の自転車用スタンド接続装置。
【請求項５】
前記ブラケット体と前記中間体の間、積み重ねられた前記中間体どうしの間、前記中間体と前記スタンドの間、前記ブラケット体と前記スタンドの間の、少なくとも１ヶ所に２次元的に前記スタンドの角度を調整する為のカマボコ形の凹凸勘合形状を有する、請求項１から請求項４のいずれかに記載の自転車用スタンド接続装置。
【発明の詳細な説明】
【技術分野】
【０００１】  本発明は、自転車を駐輪する際のスタンドを自転車に取り付ける為の接続装置に関する。
【背景技術】
【０００２】  自転車においては、駐輪場などに駐輪する際に使用するために、走行時はアームを収納可能なスタンドが備え付けられているものが多い。【０００３】  従来のスタンドは、後ハブ軸付近に装着されるシングルアームやダブルアームのもの、自転車前進方向に対して左側のチェーンステイやシートステイに装着されるシングルアームのもの、ハンガーブラケット付近のチェーンステイに装着されるシングルアームやダブルアームのものがある。【０００４】  従来のスタンドは、様々な自転車のサイズに対応するために、アームの長さにバリエーションをもたせたり、予め長めに作られたアームをノコギリ等でカットして長さ調整したり、テレスコピックタイプの長さ調整可能なアームにしたりする。【０００５】  従来のスタンドは、後ハブ軸に自転車フレームのリヤエンド等と共締めされたり、チェーンステイやチェーンステイに溶接されたマウントプレートに、ボルトによって強固に固定させることが多い。
【発明の開示】
【発明が解決しようとする課題】
【０００６】  スタンドにおいては、様々な自転車のサイズに対応するために、アームの長さにバリエーションをもつことで商品在庫を沢山かかえたり、頑丈に作られたアームをノコギリ等で必死に切断したり、テレスコピックタイプのアームの急激な断面形状の変化部分が折れ曲がったりアームの重量が増えることでアームを所定の位置にとどめる為のバネを強力にする必要が生じたりしないことが望まれる。【０００７】  また、駐輪時に自転車の横斜め下方向に突き出されたアームの、下方向突き出し量を調整することで様々な自転車のサイズに対応させるために、アームの長さのみを調整した場合、同時にアームの横方向突き出し量も変化してしまい、駐輪時の自転車の安定性も変化してしまう。このように自転車のサイズによって、駐輪時の自転車の安定性が変化することは望ましくない。【０００８】  だからといって、アームの横斜め下方向の突き出し角度を、新たな回転軸による調整機構を設けて調整可能にすると、スタンド自体が大げさになり、商品性の低下につながることが考えられる。
【課題を解決するための手段】
【０００９】  発明１に係る自転車用スタンド接続装置は、自転車を駐輪する際のスタンドを自転車に取り付ける為の接続装置であって、図１のように、自転車の例えばチェーンステイ２に強固に取り付け可能なブラケット体４に接続される貫通ボルト３を貫通させる貫通穴をもった、取り外しや積み重ねが可能な中間体５の長さや個数を調整しながら、貫通ボルト３によってスタンド６を連結する。【００１０】  発明２に係る自転車用スタンド接続装置は、発明１のブラケット体４と中間体５の間、積み重ねられた中間体５どうしの間、中間体５とスタンド６の間、ブラケット体４とスタンド６の間の、少なくとも１ヶ所に、例えば図２のようなズレや回転防止の為の位置決め部材５ａを有する。【００１１】  発明３に係る自転車用スタンド接続装置は、発明１から発明２のいずれかの、ブラケット体４と中間体５の間、積み重ねられた中間体５どうしの間、中間体５とスタンド６の間、ブラケット体４とスタンド６の間の、少なくとも１ヶ所に、例えば図２のようなズレや回転防止の為の勘合形状５ｂを有する。【００１２】  発明４に係る自転車用スタンド接続装置は、発明１から発明３のいずれかの、ブラケット体４と中間体５の間、積み重ねられた中間体５どうしの間、中間体５とスタンド６の間、ブラケット体４とスタンド６の間の、少なくとも１ヶ所に、例えば図２のような３次元的にスタンド６の角度を調整する為のオワン形の凹凸勘合形状５ｃを有する。【００１３】  発明５に係る自転車用スタンド接続装置は、発明１から発明４のいずれかの、ブラケット体４と中間体５の間、積み重ねられた中間体５どうしの間、中間体５とスタンド６の間、ブラケット体４とスタンド６の間の、少なくとも１ヶ所に、例えば図２のような２次元的にスタンド６の角度を調整する為のカマボコ形の凹凸勘合形状５ｄを有する。
【発明の効果】
【００１４】  以上のように本発明ではスタンド６を、アーム６ｃの長さを調整することなく、中間体５の長さや個数を調整してやることで、様々な自転車のサイズに対応させることが可能となり、また中間体５の全長を短くした際に貫通ボルト３の先端のはみ出しが問題となる場合は、抜き取った中間体５を図３の右図のように貫通ボルト３の頭側に挿入して、先端のはみ出しを防ぐことも可能である。また、図４のようにブラケット体４とスタンド６のベース６ａの間にオワン形の凹凸勘合形状５ｃや、カマボコ形の凹凸勘合形状５ｄを挿入することで、後輪１などとアーム６ｃの干渉を防ぐ為の微調整も可能となる。また図４のように貫通ボルト３の頭側にもオワン形の凹凸勘合形状５ｃや、カマボコ形の凹凸勘合形状５ｄを挿入することで、より滑らかにスタンド６の角度調整が可能となる。
【発明を実施するための最良の形態】
【００１５】    〔第１実施形態〕
図３において、ブラケット体４は上下一対の鋳造成型されたアルミであり、ステンレス製の六角穴付き貫通ボルト３を貫通する穴が設けられている。また左右一対のチェーンステイ２はブラケット体４によって上下から挟み込まれる。また中間体５は、貫通穴の開いたアルミ押し出し材を、長さ１０ミリメートルを２個、長さ５ミリメートルを１個切り出したものであり、ブラケット体４に連結される。また、ステンレス製のバネ座金７を頭側に挿入した貫通ボルト３は、ブラケット体４と中間体５を貫通してスタンド６のベース６ａに設けられた雌ネジにねじ込まれ、自転車とスタンド６の接続は完了する。【００１６】    〔第２実施形態〕
第２実施形態を採用した自転車用スタンド接続装置は、第１実施形態を採用した装置の構造に、図２の位置決め部材５ａを加えたものである。付加される位置決め部材５ａはステンレス製ピンの中央部分にローレット加工を施し、中間体５に設けられた割入りの穴に圧入される。【００１７】    〔第３実施形態〕
第３実施形態を採用した自転車用スタンド接続装置は、第１実施形態を採用した装置の構造に、図２の勘合形状５ｂを加えたものである。付加される勘合形状５ｂは中間体５の切断面に放射状に転造成型される。【００１８】    〔第４実施形態〕
第４実施形態を採用した自転車用スタンド接続装置は、第１実施形態を採用した装置の構造に、図２のオワン形の凹凸勘合形状５ｃを加えたものである。付加される勘合形状５ｃは押し出し材による中間体５とは別に、アルミを鍛造成型したものである。【００１９】    〔第５実施形態〕
第５実施形態を採用した自転車用スタンド接続装置は、第１実施形態を採用した装置の構造に、図２のカマボコ形の凹凸勘合形状５ｄを加えたものである。付加される勘合形状５ｄは押し出し材による中間体５とは別に、アルミを鍛造成型したものである。
【図面の簡単な説明】
【図１】本発明を装着した自転車の後輪付近を見た図
【図２】第２実施形態から第５実施形態の特徴を表す図
【図３】第１実施形態の断面図
【図４】マウントプレート８の有無による本発明４の実施例の断面図
【符号の説明】
１      後輪
２      チェーンステイ
３      貫通ボルト
４      ブラケット体
５      中間体
５ａ    位置決め部材
５ｂ    勘合形状
５ｃ    オワン形の凹凸勘合形状
５ｄ    カマボコ形の凹凸勘合形状
６      スタンド
６ａ    ベース
６ｂ    バネ
６ｃ    アーム
７      バネ座金
８      マウントプレート
【図１】
2007069891.tif 000003
【図２】
2007069891.tif 000004
【図３】
2007069891.tif 000005
【図４】
2007069891.tif 000006
【手続補正書】
【提出日】平成18年1月17日(2006.1.17)
【手続補正１】
【補正対象書類名】特許請求の範囲
【補正対象項目名】請求項３
【補正方法】変更
【補正の内容】
【請求項３】
前記ブラケット体と前記中間体の間、積み重ねられた前記中間体どうしの間、前記中間体と前記スタンドの間、前記ブラケット体と前記スタンドの間の、少なくとも１ヶ所にズレや回転防止の為の嵌合形状を有する、請求項１から請求項２のいずれかに記載の自転車用スタンド接続装置。
【手続補正２】
【補正対象書類名】特許請求の範囲
【補正対象項目名】請求項４
【補正方法】変更
【補正の内容】
【請求項４】
前記ブラケット体と前記中間体の間、積み重ねられた前記中間体どうしの間、前記中間体と前記スタンドの間、前記ブラケット体と前記スタンドの間の、少なくとも１ヶ所に３次元的に前記スタンドの角度を調整する為のオワン形の凹凸嵌合形状を有する、請求項１から請求項３のいずれかに記載の自転車用スタンド接続装置。
【手続補正３】
【補正対象書類名】特許請求の範囲
【補正対象項目名】請求項５
【補正方法】変更
【補正の内容】
【請求項５】
前記ブラケット体と前記中間体の間、積み重ねられた前記中間体どうしの間、前記中間体と前記スタンドの間、前記ブラケット体と前記スタンドの間の、少なくとも１ヶ所に２次元的に前記スタンドの角度を調整する為のカマボコ形の凹凸嵌合形状を有する、請求項１から請求項４のいずれかに記載の自転車用スタンド接続装置。
【手続補正４】
【補正対象書類名】明細書
【補正対象項目名】００１１
【補正方法】変更
【補正の内容】
【００１１】  発明３に係る自転車用スタンド接続装置は、発明１から発明２のいずれかの、ブラケット体４と中間体５の間、積み重ねられた中間体５どうしの間、中間体５とスタンド６の間、ブラケット体４とスタンド６の間の、少なくとも１ヶ所に、例えば図２のようなズレや回転防止の為の嵌合形状５ｂを有する。
【手続補正５】
【補正対象書類名】明細書
【補正対象項目名】００１２
【補正方法】変更
【補正の内容】
【００１２】  発明４に係る自転車用スタンド接続装置は、発明１から発明３のいずれかの、ブラケット体４と中間体５の間、積み重ねられた中間体５どうしの間、中間体５とスタンド６の間、ブラケット体４とスタンド６の間の、少なくとも１ヶ所に、例えば図２のような３次元的にスタンド６の角度を調整する為のオワン形の凹凸嵌合形状５ｃを有する。
【手続補正６】
【補正対象書類名】明細書
【補正対象項目名】００１３
【補正方法】変更
【補正の内容】
【００１３】  発明５に係る自転車用スタンド接続装置は、発明１から発明４のいずれかの、ブラケット体４と中間体５の間、積み重ねられた中間体５どうしの間、中間体５とスタンド６の間、ブラケット体４とスタンド６の間の、少なくとも１ヶ所に、例えば図２のような２次元的にスタンド６の角度を調整する為のカマボコ形の凹凸嵌合形状５ｄを有する。
【手続補正７】
【補正対象書類名】明細書
【補正対象項目名】００１４
【補正方法】変更
【補正の内容】
【００１４】
【発明の効果】
以上のように本発明ではスタンド６を、アーム６ｃの長さを調整することなく、中間体５の長さや個数を調整してやることで、様々な自転車のサイズに対応させることが可能となり、また中間体５の全長を短くした際に貫通ボルト３の先端のはみ出しが問題となる場合は、抜き取った中間体５を図３の右図のように貫通ボルト３の頭側に挿入して、先端のはみ出しを防ぐことも可能である。また、図４のようにブラケット体４とスタンド６のベース６ａの間にオワン形の凹凸嵌合形状５ｃや、カマボコ形の凹凸嵌合形状５ｄを挿入することで、後輪１などとアーム６ｃの干渉を防ぐ為の微調整も可能となる。また図４のように貫通ボルト３の頭側にもオワン形の凹凸嵌合形状５ｃや、カマボコ形の凹凸嵌合形状５ｄを挿入することで、より滑らかにスタンド６の角度調整が可能となる。
【手続補正８】
【補正対象書類名】明細書
【補正対象項目名】００１７
【補正方法】変更
【補正の内容】
【００１７】    〔第３実施形態〕
第３実施形態を採用した自転車用スタンド接続装置は、第１実施形態を採用した装置の構造に、図２の嵌合形状５ｂを加えたものである。付加される嵌合形状５ｂは中間体５の切断面に放射状に転造成型される。
【手続補正９】
【補正対象書類名】明細書
【補正対象項目名】００１８
【補正方法】変更
【補正の内容】
【００１８】    〔第４実施形態〕
第４実施形態を採用した自転車用スタンド接続装置は、第１実施形態を採用した装置の構造に、図２のオワン形の凹凸嵌合形状５ｃを加えたものである。付加されるオワン形の凹凸嵌合形状５ｃは押し出し材による中間体５とは別に、アルミを鍛造成型したものである。
【手続補正１０】
【補正対象書類名】明細書
【補正対象項目名】００１９
【補正方法】変更
【補正の内容】
【００１９】    〔第５実施形態〕
第５実施形態を採用した自転車用スタンド接続装置は、第１実施形態を採用した装置の構造に、図２のカマボコ形の凹凸嵌合形状５ｄを加えたものである。付加されるカマボコ形の凹凸嵌合形状５ｄは押し出し材による中間体５とは別に、アルミを鍛造成型したものである。
2007069891.tif 000007
2007069891.tif 000008
【手続補正書】
【提出日】平成18年3月9日(2006.3.9)
【手続補正１】
【補正対象書類名】手続補正書
【補正対象項目名】手続補正４
【補正方法】変更
【補正の内容】
【手続補正４】
【補正対象書類名】明細書
【補正対象項目名】全文
【補正方法】変更
【補正の内容】
【発明の詳細な説明】
【技術分野】
【０００１】  本発明は、自転車を駐輪する際のスタンドを自転車に取り付ける為の接続装置に関する。
【背景技術】
【０００２】  自転車においては、駐輪場などに駐輪する際に使用するために、走行時はアームを収納可能なスタンドが備え付けられているものが多い。【０００３】  従来のスタンドは、後ハブ軸付近に装着されるシングルアームやダブルアームのもの、自転車前進方向に対して左側のチェーンステイやシートステイに装着されるシングルアームのもの、ハンガーブラケット付近のチェーンステイに装着されるシングルアームやダブルアームのものがある。【０００４】  従来のスタンドは、様々な自転車のサイズに対応するために、アームの長さにバリエーションをもたせたり、予め長めに作られたアームをノコギリ等でカットして長さ調整したり、テレスコピックタイプの長さ調整可能なアームにしたりする。【０００５】  従来のスタンドは、後ハブ軸に自転車フレームのリヤエンド等と共締めされたり、チェーンステイやチェーンステイに溶接されたマウントプレートに、ボルトによって強固に固定させることが多い。
【発明の開示】
【発明が解決しようとする課題】
【０００６】  スタンドにおいては、様々な自転車のサイズに対応するために、アームの長さにバリエーションをもつことで商品在庫を沢山かかえたり、頑丈に作られたアームをノコギリ等で必死に切断したり、テレスコピックタイプのアームの急激な断面形状の変化部分が折れ曲がったりアームの重量が増えることでアームを所定の位置にとどめる為のバネを強力にする必要が生じたりしないことが望まれる。【０００７】  また、駐輪時に自転車の横斜め下方向に突き出されたアームの、下方向突き出し量を調整することで様々な自転車のサイズに対応させるために、アームの長さのみを調整した場合、同時にアームの横方向突き出し量も変化してしまい、駐輪時の自転車の安定性も変化してしまう。このように自転車のサイズによって、駐輪時の自転車の安定性が変化することは望ましくない。【０００８】  だからといって、アームの横斜め下方向の突き出し角度を、新たな回転軸による調整機構を設けて調整可能にすると、スタンド自体が大げさになり、商品性の低下につながることが考えられる。
【課題を解決するための手段】
【０００９】発明１に係る自転車用スタンド接続装置は、自転車を駐輪する際のスタンドを自転車に取り付ける為の接続装置であって、図１のように、自転車の例えばチェーンステイ２に強固に取り付け可能なブラケット体４に接続される貫通ボルト３を貫通させる貫通穴をもった、取り外しや積み重ねが可能な中間体５の長さや個数を調整しながら、貫通ボルト３によってスタンド６を連結する。【００１０】発明２に係る自転車用スタンド接続装置は、発明１のブラケット体４と中間体５の間、積み重ねられた中間体５どうしの間、中間体５とスタンド６の間、ブラケット体４とスタンド６の間の、少なくとも１ヶ所に、例えば図２のようなズレや回転防止の為の位置決め部材５aを有する。【００１１】  発明３に係る自転車用スタンド接続装置は、発明１から発明２のいずれかの、ブラケット体４と中間体５の間、積み重ねられた中間体５どうしの間、中間体５とスタンド６の間、ブラケット体４とスタンド６の間の、少なくとも１ヶ所に、例えば図２のようなズレや回転防止の為の嵌合形状５bを有する。【００１２】  発明４に係る自転車用スタンド接続装置は、発明１から発明３のいずれかの、ブラケット体４と中間体５の間、積み重ねられた中間体５どうしの間、中間体５とスタンド６の間、ブラケット体４とスタンド６の間の、少なくとも１ヶ所に、例えば図２のような３次元的にスタンド６の角度を調整する為のオワン形の凹凸嵌合形状５cを有する。【００１３】  発明５に係る自転車用スタンド接続装置は、発明１から発明４のいずれかの、ブラケット体４と中間体５の間、積み重ねられた中間体５どうしの間、中間体５とスタンド６の間、ブラケット体４とスタンド６の間の、少なくとも１ヶ所に、例えば図２のような２次元的にスタンド６の角度を調整する為のカマボコ形の凹凸嵌合形状５dを有する。
【発明の効果】
【００１４】以上のように本発明ではスタンド６を、アーム６cの長さを調整することなく、中間体５の長さや個数を調整してやることで、様々な自転車のサイズに対応させることが可能となり、また中間体５の全長を短くした際に貫通ボルト３の先端のはみ出しが問題となる場合は、抜き取った中間体５を図３の右図のように貫通ボルト３の頭側に挿入して、先端のはみ出しを防ぐことも可能である。また、図４のようにブラケット体４とスタンド６のベース６aの間にオワン形の凹凸嵌合形状５cや、カマボコ形の凹凸嵌合形状５dを挿入することで、後輪１などとアーム６cの干渉を防ぐ為の微調整も可能となる。また図４のように貫通ボルト３の頭側にもオワン形の凹凸嵌合形状５cや、カマボコ形の凹凸嵌合形状５dを挿入することで、より滑らかにスタンド６の角度調整が可能となる。
【発明を実施するための最良の形態】
【００１５】    〔第１実施形態〕  図３において、ブラケット体４は上下一対の鋳造成型されたアルミであり、ステンレス製の六角穴付き貫通ボルト３を貫通する穴が設けられている。また左右一対のチェーンステイ２はブラケット体４によって上下から挟み込まれる。また中間体５は、貫通穴の開いたアルミ押し出し材を、長さ１０ミリメートルを２個、長さ５ミリメートルを１個切り出したものであり、ブラケット体４に連結される。また、ステンレス製のバネ座金７を頭側に挿入した貫通ボルト３は、ブラケット体４と中間体５を貫通してスタンド６のベース６aに設けられた雌ネジにねじ込まれ、自転車とスタンド６の接続は完了する。【００１６】  〔第２実施形態〕第２実施形態を採用した自転車用スタンド接続装置は、第１実施形態を採用した装置の構造に、図２の位置決め部材５aを加えたものである。付加される位置決め部材５aはステンレス製ピンの中央部分にローレット加工を施し、中間体５に設けられた割入りの穴に圧入される。【００１７】  〔第３実施形態〕第３実施形態を採用した自転車用スタンド接続装置は、第１実施形態を採用した装置の構造に、図２の嵌合形状５bを加えたものである。付加される嵌合形状５bは中間体５の切断面に放射状に転造成型される。【００１８】  〔第４実施形態〕第４実施形態を採用した自転車用スタンド接続装置は、第１実施形態を採用した装置の構造に、図２のオワン形の凹凸嵌合形状５cを加えたものである。付加されるオワン形の凹凸嵌合形状５cは押し出し材による中間体５とは別に、アルミを鍛造成型したものである。【００１９】  〔第５実施形態〕第５実施形態を採用した自転車用スタンド接続装置は、第１実施形態を採用した装置の構造に、図２のカマボコ形の凹凸嵌合形状５dを加えたものである。付加されるカマボコ形の凹凸嵌合形状５dは押し出し材による中間体５とは別に、アルミを鍛造成型したものである。
【図面の簡単な説明】
【００２０】
【図１】本発明を装着した自転車の後輪付近を見た図
【図２】第２実施形態から第５実施形態の特徴を表す図
【図３】第１実施形態の断面図
【図４】マウントプレート８の有無による本発明４の実施例の断面図
【符号の説明】
【００２１】１           後輪２           チェーンステイ３           貫通ボルト４       ブラケット体５           中間体５a         位置決め部材５b         嵌合形状５c         オワン形の凹凸嵌合形状５d        カマボコ形の凹凸嵌合形状６           スタンド６a         ベース６b         バネ６c         アーム７           バネ座金８           マウントプレート
【手続補正２】
【補正対象書類名】手続補正書
【補正対象項目名】手続補正５
【補正方法】削除
【補正の内容】
【手続補正３】
【補正対象書類名】手続補正書
【補正対象項目名】手続補正６
【補正方法】削除
【補正の内容】
【手続補正４】
【補正対象書類名】手続補正書
【補正対象項目名】手続補正７
【補正方法】削除
【補正の内容】
【手続補正５】
【補正対象書類名】手続補正書
【補正対象項目名】手続補正８
【補正方法】削除
【補正の内容】
【手続補正６】
【補正対象書類名】手続補正書
【補正対象項目名】手続補正９
【補正方法】削除
【補正の内容】
【手続補正７】
【補正対象書類名】手続補正書
【補正対象項目名】手続補正１０
【補正方法】削除
【補正の内容】
【手続補正８】
【補正対象書類名】手続補正書
【補正対象項目名】手続補正１１
【補正方法】削除
【補正の内容】